(57)【要約】【課題】  多量のデータがやりとりされているときでも、音声データの破棄をなくし、安定した音声の伝達を行うことができるＡＴＭ‐ＴＡを提供する【解決手段】  ＡＴＭ網２を介してＬＡＮ間通信を行うＡＴＭ―ＴＡ１であって、ルータ４を介してデータ系ＰＣ６を収容するデータ側ポートＤＴＥＰ１と、ＶｏＩＰＧ／Ｗ７を介して電話機８を収容する音声側ポートＤＴＥＰ２とを備え、ポートＤＴＥＰ１、ＤＴＥＰ２を同時に使用可能とし、それぞれのポートに対応してＡＴＭ網２のＶＣを独立して割り付けるようにした。【選択図】      図１
2005210463.tif 000002
【特許請求の範囲】
【請求項１】
ＡＴＭ網を介してＬＡＮ間通信を行うＡＴＭターミナルアダプタにおいて、
同時に使用できるＤＴＥ側ポートを２以上持つことを特徴とするＡＴＭターミナルアダプタ。
【請求項２】
それぞれのＤＴＥ側ポートは、ＡＴＭ網側に対して固定的な帯域を予約でき、データの負荷に互いに干渉することなく通信を行うことを特徴とする請求項１記載のＡＴＭターミナルアダプタ。
【請求項３】
ＤＴＥ側ポートに対応したＡＴＭ網の仮想パスおよび仮想チャネルを記述したテーブルを有することを特徴とする請求項１または請求項２記載のＡＴＭターミナルアダプタ。
【請求項４】
少なくとも一つのＤＴＥ側ポートにはＶｏＩＰゲートウエイが接続されることを特徴とする請求項１ないし請求項３のいずれか１項に記載のＡＴＭターミナルアダプタ。
【発明の詳細な説明】
【技術分野】
【０００１】
本発明は、端末側ポート（以下、ＤＴＥＰという）を２つ以上持つ、ＡＴＭ専用線に接続するためのＡＴＭターミナルアダプタに関する。
【背景技術】
【０００２】
図６を用いて、ＤＴＥＰを１ポート持ち、仮想チャネルを１チャネルのみ使用できるＡＴＭターミナルアダプタ（以下、ＡＴＭ―ＴＡという）を用いてＡＴＭ網を介したＬＡＮ間で通信を行う、従来のＡＴＭによるＬＡＮ間通信によるデータ・音声統合ネットワークの構成を説明する。図６に示すように、従来のデータ・音声統合ネットワークは、ＡＴＭ−ＴＡ１０１Ａが、ＡＴＭ網１０２を介して対向するＡＴＭ−ＴＡ１０１Ｂと接続される。ＡＴＭ−ＴＡ１０１は、Ｅｔｈｅｒｎｅｔ(商標登録)フレーム等のＬＡＮフレームとＡＴＭセルとの間で相互に変換する変換機能およびＡＴＭセル組立／分解機能を備えている。ＡＴＭ−ＴＡ１０１Ａは、ＬＡＮ１０３Ａを介してルータ１０４Ａに接続されている。ＡＴＭルータ１０４Ａには、ＬＡＮ１０５Ａを介してデジタル端末装置（ＤＴＥ）であるパーソナルコンピュータ（ＰＣ）１０６Ａ１〜ＰＣ１０６Ａｎが収容され、ＶｏＩＰゲートウエイ（ＶｏＩＰＧ／Ｗ）１０７Ａを介して電話機１０８Ａが接続されている。同様に、ＡＴＭ−ＴＡ１０１Ｂは、ＬＡＮ１０３Ｂを介してルータ１０４Ｂに接続されている。ＡＴＭルータ１０４Ｂには、ＬＡＮ１０５Ｂを介してＰＣ１０６Ｂ１〜ＰＣ１０６Ｂｎが収容され、ＶｏＩＰＧ／Ｗ１０７Ｂを介して電話機１０８Ｂが接続されている。
【０００３】
ＶｏＩＰＧ／Ｗ１０７は、ＬＡＮ１０５での電話機能を実現するための音声−ＬＡＮフレーム変換装置である。
【０００４】
また、ＡＴＭ−ＴＡ１０１Ａ、ＡＴＭ−ＴＡ１０１Ｂには、ＡＴＭ‐ＴＡを保守（設定、状態確認）するための、保守用端末１０９Ａ、保守用端末１０９Ｂが、それぞれ接続されている。
【０００５】
ＡＴＭ−ＴＡ１０１の構成を、図７を用いて説明する。ＡＴＭ−ＴＡ１０１は、フレーム／セル変換手段（ＳＡＲ）１０１１と、ＡＴＭ網制御手段１０１２と、ＬＡＮ制御手段１０１３と、構成情報記憶手段１０１５と、保守制御手段１０１６を有している。フレーム／セル変換手段１０１１は、ＬＡＮフレームをＡＴＭセルに、ＡＴＭセルをＬＡＮフレームに相互に変換する手段である。ＡＴＭ網制御手段１０１２は、ＡＴＭ網との通信を制御する手段である。ＬＡＮ制御手段１０１３は、ＬＡＮとの通信を制御する手段である。構成情報記憶手段１０１５は、装置の設定情報などを記憶しておく手段である。保守制御手段１０１６は、保守用端末１０９との通信を制御する手段である。
【０００６】
これにより、ＡＴＭ網１０２を介して、ＰＣ１０６Ａ‐１とＰＣ１０６Ｂ‐１間、ＰＣ１０６Ａ−ｎとＰＣ１０６Ｂ‐ｎ間でのデータ通信を、電話機１０８Ａと電話機１０８Ｂ間の音声通信を実現するものである（例えば、特許文献１参照）。
【０００７】
しかし、この方式では、データと音声をＡＴＭ網の同じ論理チャネルで流すため、データのトラフィックが増加すると、音声のデータが破棄されて、音声が途切れたり遅延するという問題があった。
【特許文献１】特開２００１−１１９４０６号公報
【発明の開示】
【発明が解決しようとする課題】
【０００８】
本発明は、データ系と音声系を別々のポートで流すことにより、多量のデータがやりとりされているときでも、音声データの破棄をなくし、安定した音声の伝達を行うことができるＡＴＭ‐ＴＡを提供することを目的とする。
【課題を解決するための手段】
【０００９】
上記課題を解決するために、本発明は、ＡＴＭ網を介してＬＡＮ間通信を行うＡＴＭ−ＴＡにおいて、同時に使用できるＤＴＥ側ポートを２以上備えた。本発明は、上記ＡＴＭ−ＴＡにおいて、それぞれのＤＴＥ側ポートが、ＡＴＭ網側に対して固定的な帯域を予約でき、データの負荷に互いに干渉することなく通信を行うようにした。
【００１０】
本発明は、上記ＡＴＭ−ＴＡにおいて、ＤＴＥ側ポートに対応したＡＴＭ網の仮想パスＶＰおよび仮想チャネルＶＣを記述したテーブルを備えた。さらに、本発明は、上記ＡＴＭ−ＴＡにおいて、少なくとも一つのＤＴＥ側ポートにはＶｏＩＰＧ／Ｗを接続した。
【００１１】
すなわち、上記課題を解決するための本発明は、ＡＴＭ網を介してＬＡＮ間を接続し通信を行うＡＴＭ−ＴＡに、同時に使用できるＤＴＥ側ポートを２つ以上備え、それぞれのＤＴＥ側ポートが、ＡＴＭ網（ＷＡＮ）側に対して固定的な帯域を予約でき、ＤＴＥ側のデータの負荷で２つのＤＴＥ側ポートのデータが互いに干渉することなく通信を行うことを特徴とする。
【発明の効果】
【００１２】
本発明によれば、同時に使用できるＤＴＥ側ポートを２つ以上持ち、それぞれのＤＴＥ側ポートのＡＴＭ網側に対して固定的な帯域を予約できるため、データ系の負荷よらず、安定した帯域を確保できるため、音声の破棄、遅延がなくなり安定した通信が可能となる。音声通信の信頼性がより向上する。
【００１３】
データ系トラフィックの輻輳による、音声系トラフィックのフレームの破棄を考慮することなく、データ系・音声系統合ネットワークを実現できるため、ネットワークの構築が容易になるという利点がある。
【発明を実施するための最良の形態】
【００１４】
以下、本発明の実施の形態を説明する。図１を用いて、本発明にかかるＤＴＥ側ポートを２ポート持ち仮想チャネルＶＣ１および仮想チャネルＶＣ２を同時に使用できるＡＴＭ―ＴＡを用いてＡＴＭ網を介してデータと音声のＬＡＮ間通信を行うデータ・音声統合ネットワークの構成例を説明する。本明細書においては、対向する通信機器の一方の側に符号Ａを他方の側に符号Ｂを付して説明し、双方に共通の機能や構成などを説明するときには符号Ａ，Ｂを付さずに説明する。さらに、同様の機能構成を有する機器を複数備えるときには、「−１」のように符号の後に「−」と枝番を付して説明する。
【００１５】
本発明のＡＴＭ−ＴＡを用いたデータ・音声統合ネットワークは、ＡＴＭ−ＴＡ１ＡとＡＴＭ−ＴＡ１Ｂを、ＡＴＭ網（ＷＡＮ）２を介して対向させて接続して構成される。ＡＴＭ−ＴＡ１ＡとＡＴＭ−ＴＡ１ＢＡＴＭ−ＴＡ１は、それぞれ２つ以上のＤＴＥ側ポート（以下、ＤＴＥＰという）とＡＴＭ網側ポート（以下、ＡＴＭＰという）と、ＬＡＮ（例えば、Ｅｔｈｅｒｎｅｔ（登録商標））フレームをＡＴＭセルに変換するとともにＡＴＭセルをＬＡＮフレームに交換するフレーム／セル変換機能、およびＡＴＭセル組立／分解機能を備えている。
【００１６】
ＡＴＭ−ＴＡ１の第１のＤＴＥ側ポートＤＴＥＰ１には、ＬＡＮ３―１を介してルータ４が接続され、ルータ４にはＬＡＮ５を介してＰＣ６―１〜ＰＣ６―ｎが接続される。
【００１７】
ＡＴＭ−ＴＡ１の第２のＤＴＥ側ポートＤＴＥＰ２には、ＬＡＮ３−２およびＶｏＩＰでの電話機能を実現するための音声−ＶｏＩＰネットフレーム変換装置であるＶｏＩＰＧ／Ｗ７を介して電話機８が接続されている。
【００１８】
また、ＡＴＭ−ＴＡ１ＡとＡＴＭ‐ＴＡ１Ｂには、ＡＴＭ‐ＴＡの保守（設定、状態確認）用として、保守用端末９Ａと保守用端末９Ｂが、それぞれ接続されている。
【００１９】
これにより、ＡＴＭ網２を介し、ＰＣ６Ａ―１とＰＣ６Ｂ―１間、ＰＣ６Ａ―ｎとＰＣ６Ｂ―ｎ間でのデータ通信、およびＴＥＬ８ＡとＴＥＬ８Ｂ間の音声通信を実現することができる。
【００２０】
本発明においては、ＡＴＭ−ＴＡ１のＤＴＥＰ１とＤＴＥＰ２の制御手段は、それぞれ独立して動作することを特徴とし、ＡＴＭ−ＴＡ１のＤＴＥＰ１のデータと、ＤＴＥＰ２の音声データは互いに干渉することなく通信を行えるように構成される。
【００２１】
この方式では、ＤＴＥのデータと電話機の音声データを、それぞれ別の論理チャネルで流すように構成されているので、ＤＴＥＰ１側のデータのトラフィックが増加しても、ＤＴＥＰ２側の音声のデータが破棄されず、音声が途切れたり遅延しないという特徴を持ち、電話の通話品質を著しく向上させることができる。
【００２２】
図２のブロック図を用いて、ＡＴＭ−ＴＡ１の機能構成を説明する。ＡＴＭ−ＴＡ１は、フレーム／セル変換手段（ＳＡＲ）１１と、ＡＴＭ網制御手段（ＡＴＭ２５ＭＰＨＹ）１２と、ポート１ＬＡＮ制御手段１３−１およびポート２ＬＡＮ制御手段１３−２と、ポート１ＬＡＮ通信手段（１０／１００ＢＡＳＥ−ＴＸ）１４−１およびポート２ＬＡＮ通信手段（１０ＢＡＳＥ−Ｔ）１４−２と、構成情報記憶手段１５と、保守制御手段１６とを有して構成される。
【００２３】
フレーム／セル変換手段１１は、ＬＡＮ３から受けたＬＡＮフレーム（Ｅｔｈｅｒｎｅｔフレーム）をＡＴＭセルに変換するとともにＡＴＭ網２から受けたＡＴＭセルをＬＡＮフレームに変換する手段とて働く。フレーム／セル変換手段１１は、ＤＴＥＰ１を経由してＬＡＮ３−１から受けたＬＡＮフレームをＡＴＭセルに変換してＡＴＭ網の仮想チャネルＶＣ１へ送出するとともにＡＴＭＰを経由してＡＴＭ網２のＶＣ１から受けたＡＴＭセルをＬＡＮフレームに変換してＤＴＥＰ１へ送出する働きと、ＤＴＥＰ２を経由してＬＡＮ３−２から受けたＬＡＮフレームをＡＴＭセルに変換してＡＴＭ網のＶＣ２へ送出するとともにＡＴＭＰを経由してＡＴＭ網２のＶＣ２から受けたＡＴＭセルをＬＡＮフレームに変換してＤＴＥＰ２へ送出する働きを有している。
【００２４】
ＡＴＭ網制御手段１２は、ＡＴＭ−ＴＡ１をＡＴＭ網２へ接続するための制御手段として働き、ＡＴＭ網２のＶＣ１とＶＣ２をそれぞれ独立して制御する働きを有している。
【００２５】
ポート１ＬＡＮ制御手段１３−１およびポート２ＬＡＮ制御手段１３−２は、ＤＴＥＰ１およびＤＴＥＰ２を介してＬＡＮ３−１およびＬＡＮ３−２をそれぞれ独立して制御する手段として働く。
【００２６】
ポート１ＬＡＮ通信手段（１０／１００ＢＡＳＥ−ＴＸ）１４−１およびポート２ＬＡＮ通信手段（１０ＢＡＳＥ−Ｔ）１４−２は、それぞれＤＴＥＰ１をＬＡＮＥ３−１へ接続して通信し、ＤＴＥＰ２をＬＡＮ３−２へ接続して通信する通信手段として働く。
【００２７】
構成情報記憶手段１５は、ＡＴＭ−ＴＡ１の設定情報などを記憶しておく記憶手段として働く。
【００２８】
保守制御手段１６は、保守用端末と接続し、ＡＴＭ−ＴＡ１を保守するための手段として働く。
【００２９】
ＤＴＥＰ１をＬＡＮ３−１へ接続するためのポート１ＬＡＮ通信手段１４−１と、ＤＴＥＰ２をＬＡＮ３−２へ接続するためのポート２ＬＡＮ通信手段１４−２、ＡＴＭポート（ＡＴＭＰ）をＡＴＭ網２へ接続するためのＡＴＭ網制御手段１２は、互いに独立して動作し、ＤＴＥＰ１とＤＴＥＰ２に対して、ＡＴＭ網２に固定的な帯域（ＶＣ）を予約できることを最大の特徴とする。これにより、ＬＡＮ３−１に接続されたＤＴＥ（ＰＣ）側のデータの負荷が変動してもその影響を受けずに、ＬＡＮ通信手段１３−１とＬＡＮ通信手段１３−２は、相互に干渉しないで動作することができ、これにより音声データの安定したスループットを得られる。
【００３０】
図３を用いて、本発明にかかるＡＴＭーＴＡ１のフレーム／セル変換手段１１の詳細な構成を説明する。
【００３１】
フレーム／セル変換手段１１は、フレーム／セル変換処理部１１１と、ＤＴＥＰ／ＶＰ／ＶＣ対応テーブル１１２と、ポート１側の送信バッファディスクリプタ１１３−１および受信バッファディスクリプタ１１４−１と、ポート２側の送信バッファディスクリプタ１１３−２および受信バッファディスクリプタ１１４−２を有して構成される。
【００３２】
フレーム／セル変換処理部１１１は、ＤＴＥＰと仮想パス（ＶＰ）と仮想チャネル（ＶＣ）との対応を記述したＤＴＥＰ／ＶＰ／ＶＣ対応テーブル１１２を参照して、各ＤＴＥＰとＡＴＭ通信におけるＶＰ／ＶＣとの対応をとってＬＡＮフレームをＡＴＭセルに変換し、ＡＴＭセルをＬＡＮフレームに変換する処理を実行する。
【００３３】
ＤＴＥＰ／ＶＰ／ＶＣ対応テーブル１１２は、ＬＡＮ３が接続されるＤＴＥＰに対応したＡＴＭ網２のＶＰ／ＶＣを記述したテーブルである。例えば、ＤＴＥＰ／ＶＰ／ＶＣ対応テーブル１１２には、ＤＴＥＰ１、ＤＴＥＰ２に対応して、それぞれＡＴＭ網２のＶＰおよびＶＣが記述されている。
【００３４】
送信バッファディスクリプタ１１３および受信バッファディスクリプタ１１４は、データの送受信の際に使用されるバッファメモリを管理する手段であり、ＤＴＥＰ毎に送受信で独立して設けられる。
【００３５】
フレーム／セル変換処理部１１１は、ＤＴＥＰ１と接続されているＬＡＮ３−１からＡＴＭ網２へのデータ送信時は、ＤＴＥＰ／ＶＰ／ＶＣ対応テーブル１１２を参照してＤＴＥＰ１に対応するＶＰ／ＶＣを送信先ＶＰ／ＶＣに決定し、ポート１ＬＡＮ制御手段１３−１を介して送られてきたＬＡＮフレームをＡＴＭセルに変換し、送信バッファディスクリプタ１１３−１を経由してＡＴＭ網２へ送信する。受信バッファディスクリプタ１１４−１がＡＴＭ網２からＡＴＭセルを受信すると、フレーム／セル変換処理部１１１は、受信セルのＶＰ／ＶＣを判定するとともにＡＴＭセルをＬＡＮフレームに変換し、ＤＴＥＰ／ＶＰ／ＶＣ対応テーブル１１２を参照して受信したＶＰ／ＶＣに対応するＤＴＥＰ１を選択してポート１ＬＡＮ制御手段１３−１を介して、ＤＴＥＰ１を経由してＬＡＮ３−１へＬＡＮフレームを送出する。
【００３６】
同様に、フレーム／セル変換処理部１１１は、ＤＴＥＰ２と接続されているＬＡＮ３−２からＡＴＭ網２への音声データ送信時は、ＤＴＥＰ／ＶＰ／ＶＣ対応テーブル１１２を参照してＤＴＥＰ２に対応するＶＰ／ＶＣを送信先ＶＰ／ＶＣに決定し、ポート２ＬＡＮ制御手段１３−２を介して送られてきたＬＡＮフレームをＡＴＭセルに変換し、送信バッファディスクリプタ１１３−２を経由してＡＴＭ網２へ送信する。受信バッファディスクリプタ１１４−２がＡＴＭ網２からＡＴＭセルを受信すると、フレーム／セル変換処理部１１１は、受信セルのＶＰ／ＶＣを判定するとともにＡＴＭセルをＬＡＮフレームに変換し、ＤＴＥＰ／ＶＰ／ＶＣ対応テーブル１１２を参照して受信したＶＰ／ＶＣに対応するＤＴＥＰ２を選択してポート２ＬＡＮ制御手段１３−２を介して、ＤＴＥＰ２を経由してＬＡＮ３−２へＬＡＮフレームを送出する。
【００３７】
図４の送信フローに沿って、ＬＡＮ３からのＬＡＮフレームをＡＴＭセルに変換してＡＴＭ網２へ送出するフレーム／セル変換処理部１１１における処理の詳細を説明する。ＬＡＮ３からＡＴＭ網２へのデータ送信時には、ＤＴＥＰからのＬＡＮフレームを受信する（Ｓ１）と、ＡＴＭ網制御手段１２は、ＤＴＥＰ／ＶＰ／ＶＣ対応テーブル１１２を参照して（Ｓ２）、受信したＤＴＥＰに対応するＶＰ／ＶＣをＡＴＭ網２の送信先ＶＰ／ＶＣと決定する（Ｓ３）。フレーム／セル変換処理部１１１は、ＬＡＮフレームをＡＴＭセルへ変換する（Ｓ４）。変換されたＡＴＭセルは、送信バッファディスクリプタ１１３を経由してＡＴＭ網制御手段１２を介してＡＴＭ網２へ送信される（Ｓ５）。このようにして、ＤＴＥＰで受信したＬＡＮフレームをＡＴＭセルに変換してそのＤＴＥＰに対応したＡＴＭ網２のＶＰ／ＶＣに送出することができる。
【００３８】
この処理はＤＴＥＰ１、ＤＴＥＰ２で独立して行われるため、ＰＣ６からのデータと電話機８からの音声データとの干渉を生じない。そして各ＤＴＥＰに設定されているＡＴＭ網の帯域は固定されているので、ＤＴＥＰ１側のデータが増大しても、ＬＡＮ制御部１３−１が、バッファメモリの空き領域からＬＡＮ１３−１の輻輳を関知するとＤＴＥＰ１側からのデータを破棄するので、余分なデータをＡＴＭ網２に流すことがなくなる。
【００３９】
図５の送信フローに沿って、フレーム／セル変換処理部１１１におけるＡＴＭ網２からのＡＴＭセルをＬＡＮフレーム変換してＬＡＮ３へ送出する処理の詳細を説明する。ＡＴＭ網２からのＡＴＭセルを受信すると（Ｓ１１）、ＡＴＭ網制御手段１２は受信したＡＴＭセルのＶＰ／ＶＣを判別し（Ｓ１２）、受信バッファディスクリプタ１１４を介して受信したＡＴＭセルをフレーム／セル変換処理部１１１へ送出する。フレーム／セル変換処理部１１１は、受信したＡＴＭセルをＬＡＮフレームに変換するとともに（Ｓ１３）、ＤＴＥＰ／ＶＰ／ＶＣ対応テーブル１１２を参照して受信したＡＴＭセルのＶＰ／ＶＣに対応する送出先ＤＴＥＰを決定する（Ｓ１４）。送信先ＤＴＥＰを決定すると、変換したＬＡＮフレームを送信先ＤＴＥＰへ送信する（Ｓ１５）。このようにして、ＡＴＭＰで受信したＡＴＭセルを、そのセルのＶＰ／ＶＣに対応するＤＴＥＰへ送信することができる。
【図面の簡単な説明】
【００４０】
【図１】本発明にかかるＡＴＭ―ＴＡを用いてＡＴＭ網を介してデータと音声のＬＡＮ間通信を行うデータ・音声統合ネットワークの構成を説明する図。
【図２】本発明にかかるＡＴＭ−ＴＡの構成を説明するブロック図。
【図３】本発明にかかるＡＴＭ−ＴＡのフレーム／セル変換手段の構成を説明するブロック図。
【図４】ＬＡＮフレームをＡＴＭセルに変換して送信する送信フロー図。
【図５】ＡＴＭセルをＬＡＮフレームに変換して送信する送信フロー図。
【図６】従来のＡＴＭ―ＴＡを用いてＡＴＭ網を介してデータと音声のＬＡＮ間通信を行うデータ・音声統合ネットワークの構成を説明する図。
【図７】従来のＡＴＭ−ＴＡの構成を説明するブロック図。
【符号の説明】
【００４１】
１…ＡＴＭ−ＴＡ
１１…フレーム／セル変換手段
１１１…フレーム／セル変換処理部
１１２…ＤＴＥＰ／ＶＰ／ＶＣ対応テーブル
１１３…送信バッファディスクリプタ
１１４…受信バッファディスクリプタ
１２…ＡＴＭ網制御手段
１３…ＬＡＮ制御手段
１４…ＬＡＮ通信手段
１５…構成情報記憶手段
１６…保守制御手段
２…ＡＴＭ網
３…ＬＡＮ
４…ルータ
５…ＬＡＮ
６…ＰＣ
７…ＶｏＩＰＧ／Ｗ
８…電話機
９…保守用端末
ＤＴＥＰ…ＤＴＥ側ポート
ＡＴＭＰ…ＡＴＭ側ポート
【図１】
2005210463.tif 000003
【図２】
2005210463.tif 000004
【図３】
2005210463.tif 000005
【図４】
2005210463.tif 000006
【図５】
2005210463.tif 000007
【図６】
2005210463.tif 000008
【図７】
2005210463.tif 000009